(57)【要約】【課題】ポケットのスライドファスナーを開閉操作するにもそれほど手間がかからず、またポケットの前覆部を前側へ傾動させるのにも余分な部材を取り付けなくてよいランドセルを提供する。【解決手段】主収納部５の前方にポケット部７を備えたランドセルであって、前記ポケット部７は、上部生地９ａ下部を内側に折り返した折返部１２と下部生地９ｂの上部１３を縫着してなる前覆部９と、上側マチ部１０ａと、両側マチ部１０ｂ、１０ｂにより構成され、前記上側マチ部１０ａと両側マチ部１０ｂ、１０ｂに亘り両端が両側マチ部１０ｂ、１０ｂの中間部まで達するスライドファスナー１１が設けられ、前記スライドファスナー１１を開けることにより、前記前覆部９の上部生地９ａがその折返部１２を支点として前側へ傾動するようにしている。【選択図】図３
2008284088.tif 000002
【特許請求の範囲】
【請求項１】
主収納部（５）の前方にポケット部（７）を備えたランドセルであって、前記ポケット部（７）は、上部生地（９ａ）下部を内側に折り返した折返部（１２）と下部生地（９ｂ）の上部（１３）を縫着してなる前覆部（９）と、上側マチ部（１０ａ）と、両側マチ部（１０ｂ、１０ｂ）により構成され、前記上側マチ部（１０ａ）と両側マチ部（１０ｂ、１０ｂ）に亘り両端が両側マチ部（１０ｂ、１０ｂ）の中間部まで達するスライドファスナー（１１）が設けられ、前記スライドファスナー（１１）を開けることにより、前記前覆部（９）の上部生地（９ａ）がその折返部（１２）を支点として前側へ傾動するようにしたことを特徴とするランドセル。
【請求項２】
主収納部（５）の前方にポケット部（７）を備えたランドセルであって、前記ポケット部（７）は、上部生地（９ａ）下部を内側に折り返した折返部（１２）と下部生地（９ｂ）の上部（１３）の間に縁生地（１４）を介在させて、これら上部生地（９ａ）下部の折返部（１２）と下部生地（９ｂ）の上部（１３）と縁生地（１４）を縫着してなる前覆部（９）と、上側マチ部（１０ａ）と、両側マチ部（１０ｂ、１０ｂ）により構成され、前記上側マチ部（１０ａ）と両側マチ部（１０ｂ、１０ｂ）に亘り両端が両側マチ部（１０ｂ、１０ｂ）の中間部まで達するスライドファスナー（１１）が設けられ、前記スライドファスナー（１１）を開けることにより、前記前覆部（９）の上部生地（９ａ）がその折返部（１２）を支点として前側へ傾動するようにしたことを特徴とするランドセル。
【請求項３】
前記縁生地（１４）の外側端をポケット部（７）の前面に露出するようにしたことを特徴とする請求項２記載のランドセル。
【請求項４】
前記縁生地（１４）を一枚の生地を折り返したものとし、この折返部（１４ａ）の外側端をポケット部（７）の前面に露出するようにしたことを特徴とする請求項２記載のランドセル。
【請求項５】
前記ポケット部（７）の上部生地（９ａ）の内面と下部生地（９ｂ）の内面に、薄生地（１５）を内張りしたことを特徴とする請求項１または２記載のランドセル。
【発明の詳細な説明】
【技術分野】
【０００１】
この発明は、主収納部の前方に、スライドファスナーによって開閉自在としたポケットを備えたランドセルに関するものである。
【背景技術】
【０００２】
従来、この種のランドセルは、通常、主収納部の前方に副収納部が設けられ、この副収納部の外側にポケットを備えている。このポケットは、上面にスライドファスナーが装着され、このスライドファスナーの操作により開閉自在としている。
【０００３】
しかしながら、前記ランドセルのポケットは、前後方向の幅が薄いうえに深さが比較的深く形成されており、しかもランドセル本体と同様に伸縮性の少ない皮革または合成皮革等からなるので、上面の開口が大きく開かず、ポケット内部が外から見にくく、またポケット内部に手も差し込みにくい。そのため、学童は手探り状態でポケット内部の収納物を取り出さなければならず、非常に使い勝手か悪かった。
【０００４】
そこで、この種のランドセルとして、例えば図５に示したように、副収納部２１の外側に、前面が前覆部２２により覆われると共に、小物が収納されるポケット２３を設けものとし、そのポケット２３は、両側マチ部２４と上側マチ部２５とに亘り両端が両側マチ部２４の下端部まで達する連続したスライドファスナー２６が設けられ、このスライドファスナー２６を開けることにより、前記前覆部２２がその下縁部を支点にして前側へ傾動できるように構成されたものが考え出されている（特許文献１）。
【０００５】
このようにした従来のランドセルは、図６に示したように、前記スライドファスナー２６を開けることにより、ポケット２３の前覆部２２がその下縁部を支点にして前側へ傾動し、両側マチ部２４と上側マチ部２５とが大きく開くこととなって、ポケット内部がよく見え、ポケット２３への小物の出し入れも容易になるとしている。
【特許文献１】特開２００４−４１２４３号公報（第２、６頁、図２）
【発明の開示】
【発明が解決しようとする課題】
【０００６】
しかしながら、図５、６に示したような従来のランドセルでは、スライドファスナー２６を両側マチ部２４の下端部まで開かなければ前覆部２２が前側へ傾動せず、またこの開いたスライドファスナー２６を閉めなければ前覆部２２が元の状態に戻らず、ポケット２３を開閉するにはスライドファスナー２６の操作に手間がかかるという問題点を有していた。
【０００７】
さらに、前記従来のランドセルでは、前覆部２２が前側へ傾動しにくいため、前覆部２２を常に前側へ傾動するように付勢する弾性張出部２７を配置しておくことが好ましいとしているが、この弾性張出部２７が存在しなければ、前覆部２２が前側へ倒れてしまい、ポケット内部が完全に開放した状態となり、却ってポケット２３への小物の出し入れがしにくくなる。そのため、前記弾性張出部２７を配置しない場合にも、前覆部２２が前側へ倒れてしまうのを防ぐために、この弾性張出部２７に代わる張出部材を配置しなければならず、余分な部材が必要になるという問題点を有していた。
【０００８】
そこで、この発明は、上記従来の問題点を解決するものであり、ポケットを開閉するためのスライドファスナーの操作にもそれほど手間がかからず、またポケットの前覆部を前側へ傾動させるのにも余分な部材を取り付けなくてもよいランドセルを提供することを目的としてなされたものである。
【課題を解決するための手段】
【０００９】
この発明のランドセルは、主収納部５の前方にポケット部７を備え、前記ポケット部７は、上部生地９ａ下部を内側に折り返した折返部１２と下部生地９ｂの上部１３を縫着してなる前覆部９と、上側マチ部１０ａと、両側マチ部１０ｂ、１０ｂにより構成され、前記上側マチ部１０ａと両側マチ部１０ｂ、１０ｂに亘り両端が両側マチ部１０ｂ、１０ｂの中間部まで達するスライドファスナー１１が設けられ、前記スライドファスナー１１を開けることにより、前記前覆部９の上部生地９ａがその折返部１２を支点として前側へ傾動するようにしている。
【００１０】
そして、この発明のランドセルは、主収納部５の前方にポケット部７を備え、前記ポケット部７は、上部生地９ａ下部を内側に折り返した折返部１２と下部生地９ｂの上部１３の間に縁生地１４を介入させて、これら上部生地９ａ下部の折返部１２と下部生地９ｂの上部１３と縁生地１４を縫着してなる前覆部９と、上側マチ部１０ａと、両側マチ部１０ｂ、１０ｂにより構成され、前記上側マチ部１０ａと両側マチ部１０ｂ、１０ｂに亘り両端が両側マチ部１０ｂ、１０ｂの中間部まで達するスライドファスナー１１が設けられ、前記スライドファスナー１１を開けることにより、前記前覆部９の上部生地９ａがその折返部１２を支点として前側へ傾動するようにしている。
【００１１】
さらに、この発明のランドセルは、前記縁生地１４の外側端をポケット部７の前面に露出するようにしている。
【００１２】
また、この発明のランドセルは、前記縁生地１４を一枚の生地を折り返したものとし、この折返部１４ａの外側端をポケット部７の前面に露出するようにしている。
【００１３】
さらに、この発明のランドセルは、前記ポケット部７の上部生地９ａの内面と下部生地９ｂの内面に、薄生地１５を内張りしている。
【発明の効果】
【００１４】
この発明のランドセルは、以上に述べたように構成されているので、ポケットを開閉するためのスライドファスナーの操作にもそれほど手間がかからず、学童にとってはポケットへの小物の出し入れが容易になり、またポケットの前覆部を前側へ傾動させるのにも余分な部材を取り付けなくてもよくなり、製造業者にとっても製造が簡単なものとなる。
【発明を実施するための最良の形態】
【００１５】
以下、この発明のランドセルの実施の形態を、図面に基づいて詳細に説明する。
【００１６】
この発明のランドセルは、図１、２に示したように、背板１、両側板２、２、底板３および前板４により上面が開口した箱状の主収納部５が構成されている。前板４の前方には、副収納部６が設けられ、この副収納部６の外側にポケット部７が設けられることにより、このポケット部７は主収納部５の前方に備えられている。主収納部５は、背板１に連接された開閉蓋８によって上面開口部が開閉される。なお、背板１の上端部から底板３にかけては、肩掛けベルト（図示せず）が取り付けられている。
【００１７】
前記ポケット部７は、前覆部９と、上側マチ部１０ａと、両側マチ部１０ｂ、１０ｂにより構成され、上側マチ部１０ａと両側マチ部１０ｂ、１０ｂに亘り両端がこれら両側マチ部１０ｂ、１０ｂの中間部まで達するスライドファスナー１１が設けられている。前覆部９は、上部生地９ａと下部生地９ｂに分離し、図３、４に示したように、上部生地９ａ下部を内側に折り返した折返部１２と下部生地９ｂの上部１３の間に縁生地１４を介在させて、これら上部生地９ａ下部の折返部１２と下部生地９ｂの上部１３と縁生地１４を縫着している。このような構成にすることにより、前覆部９は折返部１２から折れ曲がり易くなり、前記スライドファスナー１１を開けることにより、前記前覆部９の上部生地９ａがその折返部１２を支点として前側へ傾動するようにしている。
【００１８】
前記縁生地１４は、ランドセル本体と同質の皮革または合成皮革等からなる一枚の生地を折り返したものとし、その折返部１４ａの外側端をポケット部７の前面に露出するようにしている。このような構成にすることにより、前覆部９の上部生地９ａと下部生地９ｂの間に線模様が入ることになり、美的価値を向上させている。
【００１９】
また、前記縁生地１４は、上部生地９ａの折返部１２と下部生地９ｂの上部１３との間に介在させて縫着することにより、この縫着部を分厚くして強度アップを図ったものとしている。
【００２０】
そのため、前記縁生地１４は、上部生地９ａの折返部１２と下部生地９ｂの上部１３との間に介在させたものとしなくてもよいが、その場合は前記したような美的価値を向上させたり、強度アップを図れるという効果は生じないものなる。
【００２１】
さらに、前記ポケット部７は、上部生地９ａの内面と下部生地９ｂの内面に、薄生地１５を内張りしたものとすることができる。このような構成にすることにより、前覆部９の上部生地９ａの折返部１２と下部生地９ｂの上部１３と縁生地１４が、この薄生地１５によって覆われポケット内部に露出しなくなり、体裁が悪いものとならない。
【００２２】
以上に述べたようにこの発明のランドセルは構成されているので、ポケット部７のスライドファスナー１１は、両側マチ部１０ａの途中まで開閉すればよく、このスライドファスナー１１を開閉操作するにもそれほど手間がかからず、またスライドファスナー１１を開けることにより、前覆部９の上部生地９ａがその折返部１２を支点として前側へ傾動するので、学童にとってはポケットへの小物の出し入れが容易なものとなる。
【００２３】
さらに、この発明のランドセルでは、従来のランドセルのポケットの前覆部２２のように、この前覆部２２を常に前側へ傾動するように付勢する弾性張出部２７を配置したり、この弾性張出部２７に代わる張出部材を配置する必要はなく、前覆部９を前側へ傾動させるのに余分な部材を取り付けなくてもよくなったので、製造業者にとっても製造が簡単なものとなる。
【図面の簡単な説明】
【００２４】
【図１】この発明のランドセルの一実施形態を示す斜視図である。
【図２】図１に示すこの発明のランドセルのポケットを開口した状態を示す斜視図である。
【図３】図１に示す状態のこの発明のランドセルのポケット部の主要部断面図である。
【図４】図２に示す状態のこの発明のランドセルのポケット部の主要部断面図である。
【図５】従来のランドセルの一例を示す斜視図である。
【図６】従来のランドセルのポケットを開口した状態を示す斜視図である。
【符号の説明】
【００２５】
５  主収納部
７  ポケット部
９  前覆部
９ａ  上部生地
９ｂ  下部生地
１０ａ  上側マチ部
１０ｂ  両側マチ部
１１  スライドファスナー
１２  折返部
１３  上部
１４  縁生地
１４ａ  折返部
１５  薄生地
【図１】
2008284088.tif 000003
【図２】
2008284088.tif 000004
【図３】
2008284088.tif 000005
【図４】
2008284088.tif 000006
【図５】
2008284088.tif 000007
【図６】
2008284088.tif 000008